(57)【特許請求の範囲】
【請求項１】
建物開口部に取り付けられる窓枠、又は、窓枠に開閉可能に装着される障子の框に固定される機能部品を有し、
機能部品が固定される窓枠又は框は、金属形材と樹脂カバーとから形成されるとともに、窓枠又は框の機能部品取付け位置の樹脂カバーが切除されており、
樹脂カバーの切除部においてスペーサと加熱発泡材が重ならない状態で配置され、機能部品は、樹脂カバーの切除部において金属スペーサ及び加熱発泡材を挟んで金属形材に固定されている
ことを特徴とするサッシ。
【発明の詳細な説明】
【技術分野】
【０００１】
本発明は、金属製の枠材又は障子の框の室内側を樹脂や木材等の断熱性カバーにより被覆して断熱性を向上させたサッシに関する。
【背景技術】
【０００２】
金属製の枠材や障子の框の室内側を樹脂や木材等の断熱性カバーにより被覆してなる枠材により形成されるサッシは知られている。そのような断熱性を備えるサッシに対してオペレータハンドル等の機能部品を取り付けるに際して、断熱性カバーの機能部品が取り付けられる部分に裏板を設けて補強してなるサッシは知られている（特許文献１）。
【先行技術文献】
【特許文献】
【０００３】
【特許文献１】特開２００１−１８２４３４号公報
【発明の概要】
【発明が解決しようとする課題】
【０００４】
しかしながら、上記特許文献１のサッシにおいては、機能部品が取り付けられる部分は裏板で補強されているものの、機能部品は樹脂や木材等の断熱性カバーの表面に取付けられるので、火災により断熱性カバーが溶解・燃焼したり、脱落したりすると機能部品の固定が維持できなくなり、障子のがたつきが生じて延焼を広げてしまう可能性があった。また、機能部品の内部が直接火炎にさらされたり、火災の熱により機能部品の内部に存在する樹脂製の部品等が溶け出すなどして、可燃性のガス等が発生する可能性があった。
【０００５】
本発明は、上記事情を鑑みたものであり、金属形材と樹脂カバーとから形成される枠体もしくは框に対して、機能部品を強固に固定すること、及び、火災時において機能部品の内部の樹脂部材が溶解して機能部品の外部に流出するなどして、可燃性のガス等が発生することを防止することを目的とするものである。
【課題を解決するための手段】
【０００６】
本発明のサッシは、建物開口部に取り付けられる窓枠、又は、窓枠に開閉可能に装着される障子の框に固定される機能部品を有し、機能部品が固定される窓枠又は框は、金属形材と樹脂カバーとから形成されるとともに、窓枠又は框の機能部品取付け位置の樹脂カバーが切除されており、樹脂カバーの切除部においてスペーサと加熱発泡材が重ならない状態で配置され、機能部品は、樹脂カバーの切除部において金属スペーサ及び加熱発泡材を挟んで金属形材に固定されていることを特徴とする。
【発明の効果】
【０００７】
機能部品を取付ける位置の樹脂カバーが切除され、機能部品が金属製のスペーサを介して金属形材に固定されるので、機能部品の固定が安定し、火災時の炎により、機能部品自体が金属形材から落下することを防止できる。また、固定部分には、加熱発泡材が配置されているので、機能部品を構成する樹脂部材が溶解して機能部品の外に流出することや、樹脂部材の溶解による機能部品の分解や落下等を防止でき、また、樹脂部材の溶解による可燃性の気体の発生を防止できる。
【図面の簡単な説明】
【０００８】
【図１】本発明の実施形態のサッシの内観図である。
【図２】本発明の実施形態のサッシの横断面図である。
【図３】本発明の実施形態のサッシの機能部材であるオペレータの取付状態を説明するための下枠部分の縦断面図である。
【図４】本発明の実施形態のサッシの機能部材であるオペレータの取付状態を説明するための下枠部分の分解縦断面図である。
【図５】本発明の実施形態のサッシの機能部品であるオペレータの取付状態を説明するための下枠部分の分解斜視図である。
【発明を実施するための形態】
【０００９】
−サッシ全体の構成−
本発明のサッシを、機能部品として滑り出し障子の開閉を行うためのオペレータを有するサッシを例示して説明する。
本発明の実施形態のサッシは、図１に示されるように、上枠１１，下枠１２及び右、左縦枠１３，１４を四周組にしてなる枠体１に、上框２１，下框２２及び右、左縦框２３，２４を四周組にしてなる框枠の内周に板ガラス等のパネル２５を装着してなる障子２が開閉自在に支持されて構成されている。
下枠１２には、障子２を開閉する際に操作するオペレータ６が設けられており、右縦枠１３には、障子２の閉鎖状態をロックするためのロック手段９が設けられている。
【００１０】
−左右縦枠及び左右縦框の構成−
図２に示されるように、右、左縦枠１３，１４は、アルミニウム等により押出形成された右、左縦枠本体１３１，１４１と、右、左縦枠本体１３１，１４１の室内側に装着されてなる合成樹脂等により形成された右、左縦枠樹脂カバー１３２，１４２とから構成されている。
右、左縦枠本体１３１，１４１は、見込み方向中央よりやや室内側に内周方向に突出する右、左縦内周片１３１ａ，１４１ａが形成されており、右、左縦内周片１３１ａ，１４１ａの室内側面及び右、左縦内周片１３１ａ，１４１ａよりも室内側の内周側面が右、左縦枠樹脂カバー１３２，１４２により覆われて形成されている。
【００１１】
右、左縦枠樹脂カバー１３２，１４２は略Ｌ字状に形成されており、その一辺が右、左縦内周片１３１ａ，１４１ａの室内側面に、他の一辺が右、左縦枠本体１３１，１４１の内周側面を覆うように右、左縦枠本体１３１，１４１に取付けられている。右、左縦内周片１３１ａ，１４１ａの室内側面を覆う辺の内周端近傍には右、左縦枠本体１３１，１４１の内周端部を係合する係合凹部が形成され、係合凹部のさらに内周側に障子２の右、左縦框２３，２４の室内側面に当接する気密材ａが配置されている。
右縦枠１３の室内側面には、ロック手段９が固定されており、ロック手段９のロックアーム９１が障子２の右縦框２３の外周面に設けたロック受２３ａに係止され、障子２の閉鎖状態を維持している。
【００１２】
障子２の右、左縦框２３，２４は、アルミニウム等により押出形成された右、左縦框本体２３１，２４１と、右、左縦框本体２３１，２４１の室内側面に装着され、ガラス等のパネル２５を支持固定するための押縁として機能する右、左縦框樹脂カバー２３２，２４２とから構成されている。そして、右、左縦枠１３，１４の右、左縦枠樹脂カバー１３２，１４２の内周端に配置された気密材ａが右、左縦框２３，２４の右、左縦枠樹脂カバー１３２，１４２の室内側面に当接して気密しており、室内側にアルミニウム等の金属材料が露出しない。
【００１３】
−下枠及び下框の構成−
下枠１２は、アルミニウム等により押出形成された下枠本体１２１と、下枠本体１２１の室内側面を覆う合成樹脂製の下枠樹脂カバー１２２とから構成されている。
下枠本体１２１は、見込み方向に並ぶ２つの中空部（室外側中空部１２１ａ及び室内側中空部１２１ｂ）を有し、室外側中空部１２１ａが障子２の下框２２の外周面に対向するとともに、室外側中空部１２１ａの室内側に室内側中空部１２１ｂが内周方向に向けて形成されている。
室内側中空部１２１ｂの上面には、さらに内周（上方）に向かって延設される室内壁部１２１ｃが形成され、室内側中空部１２１ｂ及び室内壁部１２１ｃの室外側面が下框２２の室内側面に対向している。
【００１４】
室外側中空部１２１ａの内部には、スチール等からなる補強部材ｂが配置されており、該補強部材ｂには火災時等の熱により発泡して膨張する熱膨張材ｆが貼着されている。また、室内側中空部１２１ｂの内周面及び室内壁部１２１ｃに亘ってＬ字状のスチール等からなる補強部材５が配置され、ネジｇ等により室内側中空部１２１ｂの内周面に固定されている。
室内壁部１２１ｃの室内側面には合成樹脂等からなる第１の下枠樹脂カバー１２２ａが取付けられ、室内側中空部１２１ｂの室内側面には、同じく合成樹脂等からなる第２の下枠樹脂カバー１２２ｂが取付けられる。
第１の下枠樹脂カバー１２２ａは、断面略Ｌ字状を成しており、その一辺を室内壁部１２１ｃの内周端を覆うように形成されているとともに、その下端部において第２の下枠樹脂カバー１２２ｂと当接しており、下枠１２の室内に露出する面を合成樹脂により形成している。なお、本実施形態においては、下枠樹脂カバー１２２を二つの部材により分けて形成したが、これらをまとめて一つの下枠樹脂カバーとして形成しても良い。
【００１５】
一方、障子２の下框２２は、アルミニウム等により押出形成された下框本体２２１と、下框本体２２１の室内側に取付けられる合成樹脂製の下框樹脂カバー２２２とから構成されており、下框樹脂カバー２２２はパネル２５を固定支持するための押縁としても機能する。下框本体２２１は下框中空部２２１ａと下框中空部２２１ａの室外側下端より下方に延設する室外壁部２２１ｂとからなり、下框中空部２２１ａの内部には、スチール等からなる補強部材ｓが配置されるとともに、該補強部材ｂには熱により膨張する熱膨張材ｆが貼着されている。下框樹脂カバー２２２の室内側面には、後述する開閉機構に連結される障子側アーム２２３がネジ等により固定されている。
【００１６】
下枠１２の室外側中空部１２１ａの室外側面上端部と室内側中空部１２１ｂの室外側面上端部には気密材ａ，ａが配置されており、それぞれ下框２２の室外壁部２２１ｂの室内側面と下框樹脂カバー２２２の室内側面に当接して、下枠１２と下框２２との間を気密している。そして、下枠１２の内周面と室内側中空部１２１ｂの室外側面、及び、下框２２の外周面と室外壁部２２１ｂの室内側面によって気密空間が形成され、該気密空間には障子２を滑り出して開閉するためリンク機構Ｌが配置されている。
また、気密空間内の室内側中空部１２１ｂの室外側面及び室外壁部２２１ｂの室内側面には熱により発泡して膨張する熱膨張材ｆが配置され、火災時の熱により膨張して枠体１と障子２との間に充満することにより、火災時の室内外の連通を防止して、延焼を防いでいる。
【００１７】
−機能部品（オペレータ）の取付け−
図２，３に示されるように、下枠１２の下枠樹脂カバー１２２の室内側には、障子２を開閉操作するためのオペレータ６が取付けられている。オペレータ６は、概略矩形の本体部６１と、本体部６１の上面より斜め上方に突出して回転自在に保持されるハンドル６２と、本体部６１の内部に配置されて、ハンドル６２の回転に基づいて障子２の開閉動作を行う開閉用アーム６３とから構成されている。本体部６１の内部には、開閉用アーム６３のギア部６３ａが回動自在に支持されており、ハンドル６２軸に固定されたウォームギア（図示しない。）と噛み合っている。ハンドル６２の回動に伴ってギア部６３ａが回動し、ギア部６３ａより延設されたアーム部６３ｂが揺動される。
【００１８】
オペレータ６の開閉用アーム６３のアーム部６３ｂの先端は下枠１２の室内壁部１２１ｃを貫通し、ピン等により補助リンクアーム６４の一端に回動自在に連結されている。さらに、補助リンクアーム６４の他端は、下框２２に固定された障子側アーム２２３にピン等により回動自在に連結されている。
そして、操作者がオペレータ６のハンドル６２を回転させると、ハンドル軸に固定されたウォームギア（図示しない。）と開閉用アーム６３のギア部６３ａとの噛み合いにより、開閉用アーム６３が図２における矢印Ａ方向に回動される。開閉用アーム６３の回動に伴って、補助リンクアーム６４を介して障子２が閉鎖位置から開放位置に移動される。
【００１９】
図４，５を参考にして、オペレータ６の取付け構造について説明する。
下枠１２の第１の下枠樹脂カバー１２２ａのオペレータ６が取付けられる箇所には、オペレータ６の下枠１２への当接部分の領域よりも若干狭い領域に亘って切除され切除部１２２ｃが形成されている。そのため、下枠樹脂カバー１２２ａの室外側に位置する下枠本体１２１の室内壁部１２１ｃが切除部１２２ｃにおいて、室内側に露出している。
室内壁部１２１ｃの切除部１２２ｃから露出した部分には、左右方向に長い長方形の長孔１２１ｄが設けられており、その長孔１２１ｄの左右にはオペレータ６を下枠１２に固定するためのネジを螺着するネジ孔１２１ｆ、１２１ｆが設けられている。
【００２０】
下枠樹脂カバー１２２ａに設けられた切除部１２２ｃには、該切除部１２２ｃと略同じ、もしくはやや小さい縦横の幅を有し、下枠樹脂カバー１２２ａの厚さと略等しい厚さのスペーサ７が配置される。スペーサ７は、その上方より中央位置に矩形の切欠部７ａが形成されているとともに、切欠部７ａの左右両側には、オペレータ６を下枠１２に固定するためのネジｇが貫通する貫通孔７ｂ，７ｂが設けられている。
スペーサ７の切欠部７ａには、中央に左右方向に長い長方形の長孔８ａが開けられた熱膨張材（加熱発泡材）８が配置されている。
【００２１】
オペレータ６を下枠１２に取付けるに際しては、熱膨張材（加熱発泡材）８の長孔８ａにオペレータ６の室外側より突出する開閉用アーム６３のアーム部６３ｂを挿入して貫通させ、下枠樹脂カバー１２２ａに設けられた切除部１２２ｃを覆うようにオペレータ６を配置する。
そして、オペレータ６本体の左右に設けられたネジ保持部６５，６５からネジｇ，ｇを挿入してスペーサ７の貫通孔７ｂ，７ｂを貫通させて、室内壁部１２１ｃの切除部１２２ｃのネジ孔、更には、室内壁部１２１ｃの室外側に配置された補強部材５のネジ孔に螺合することにより、オペレータ６を下枠１２に取り付ける。
オペレータ６は、下枠１２のアルミニウム等の押出形材からなる室内壁部１２１ｃ及び補強部材５に対してネジｇ，ｇにより直接固定するので、樹脂製の下枠樹脂カバー１２２ａに対してオペレータ６の操作時に負荷がかかることなく、オペレータ６を下枠１２に対して強固に取付けることができる。
【００２２】
オペレータ６の下枠１２へのネジｇ，ｇによる取付け後には、オペレータ６のネジ保持部６５，６５に対してカバー部材６６，６６が取付けられる。オペレータ６の取付けにより室内壁部１２１ｃの室外側に突出した開閉用アーム６３のアーム部６３ｂの先端は、補助リンクアーム６４の他端にピン結合され、障子２の開閉リンク機構が形成される。
【００２３】
また、下枠樹脂カバー１２２ａに設けられた切除部１２２ｃに配置されるスペーサ７は、下枠樹脂カバー１２２ａの厚さと略等しい厚さに形成されているので、オペレータ６を取付けるネジ締めの際に樹脂製の下枠樹脂カバー１２２ａに力が加わることがなく、カバー部材の破損を防ぐことができる。
【００２４】
−本発明の実施形態による作用・効果−
以上のように、本発明の実施形態のサッシにおいては、機能部品であるオペレータ６が金属製のスペーサ７を介して、下枠本体１２１、さらには、下枠本体１２１を補強する補強部材５に固定されているので、火災時に下枠樹脂カバー１２２が脱落しても、オペレータ（機能部品）６の固定を維持し、障子２の閉鎖状態を保つことができる。
また、スペーサ７には切欠部７ａが形成され、該切欠部７ａには熱により発泡して膨張する熱膨張材（加熱発泡材）８が配置されているので、火災時に下枠本体１２１に設けられた長孔１２１ｄを塞いで室内外の連通を防止できる。さらに、発泡して膨張した熱膨張材（加熱発泡材）８は、オペレータ６の取付面側からオペレータ６の内部に充満して、オペレータ６内部を火災の炎や熱から保護するとともに、オペレータ６の内部の樹脂部材が溶解して外部に流出することを防止して、オペレータ６の内部機構を構成する樹脂部材が溶解して可燃性のガス等が発生することを防止できる。
【００２５】
なお、本実施形態においては、機能部品として滑り出し窓の障子を開閉するためのオペレータを例示して説明したが、機能部品はオペレータに限られるものではなく、窓の開閉をロックするロック手段やその他の様々な機能部品に採用することができる。
【符号の説明】
【００２６】
１            枠体
１１        上枠
１２        下枠
１３        右縦枠
１４        左縦枠
２            障子
２１        上框
２２        下框
２３        右縦框
２３ａ    ロック受
２４        左縦框
２５        パネル
５            補強部材
６            オペレータ
６１      本体部
６２        ハンドル
６３        開閉用アーム
６３ａ    ギア部
６３ｂ    アーム部
６４        補助リンクアーム
６５        ネジ保持部
６６        カバー部材
７            スペーサ
７ａ        切欠部
７ｂ        貫通孔
８            熱膨張材（加熱発泡材）
８ａ        長孔
９            ロック手段
９１        ロックアーム
Ｌ          リンク機構
ａ          気密材
ｂ          補強部材
ｆ          熱膨張材
ｇ          ネジ
【図１】
0006371192.tif 000002
【図２】
0006371192.tif 000003
【図３】
0006371192.tif 000004
【図４】
0006371192.tif 000005
【図５】
0006371192.tif 000006